(57)【特許請求の範囲】
【請求項１】
植物の葉からの水分の蒸散量を計測する装置であって、
被測定気体で満たされる一部の開口部を除いて密閉された空間に配置されるガラス板と、同ガラス板を冷却する冷却手段と、ガラス板に光を入射する発光部と、同発光部から入射された光が前記ガラス板を通過して出てきた透過光を受光する第１の受光部と、前記発光部から入射された光が前記ガラス板の被測定気体に曝されている面にできた露によって散乱透過して出てきた散乱透過光を受光する第２の受光部と、前記の第１及び第２の受光部の受光量の結露量に応じた変化及び結露量と葉からの水分の蒸散量の関係を予め記憶して、第１と第２の受光部の計測の光量から結露量を算出して葉からの水分の対応蒸散量を求める結露量測定装置と、からなる葉からの水分蒸散量の計測装置を用い、
空間の開口部に木の葉を押し当てて閉鎖し、冷却手段を用いてガラス板を冷却してガラス表面を結露させ、その状態で発光部から光を入射させ、第１と第２の受光部の光量を結露量測定装置に入力して、光量差から結露量と水分の蒸散量を算出する植物の葉からの水分の蒸散量の計測方法。
【請求項２】
植物の葉からの水分の蒸散量を計測する装置であって、
被測定気体で満たされる一部の開口部を除いて密閉された空間に配置されるガラス板と、同ガラス板を冷却する冷却手段と、ガラス板に光を入射する発光部と、同発光部から入射された光が前記ガラス板を通過して出てきた透過光を受光する第１の受光部と、前記発光部から入射された光が前記ガラス板の被測定気体に曝されている面にできた露によって散乱透過して出てきた散乱透過光を受光する第２の受光部と、前記の第１及び第２の受光部の受光量の結露量に応じた変化及び結露量と葉からの水分の蒸散量の関係を予め記憶して、第１と第２の受光部の計測の光量から結露量を算出して葉からの水分の対応蒸散量を求める結露量測定装置と、からなる葉からの水分蒸散量の計測装置を近接して二装置設け、一方の計測装置の空間の開口部を閉鎖し、又二つの計測装置の空間を開閉可能として連通させる換気口を設ける装置とし、
換気口を開いて空間を開放した後、全ての換気口を閉じ、一方の空間の開口部に木の葉の面を押し当てて閉鎖し、更に二つの空間の冷却手段でガラス板を冷却してガラス板表面に結露を発生させ、その後、各空間の発光部ＬＤを作動させてガラス板に光を入射させ、各空間の第１，第２の受光部の受光量を結露量測定装置に入力し、開口部を閉鎖した受光部の受光量から計算した蒸散量を、開口部に葉を押し当てた空間の受光部の受光量から計算した蒸散量から差し引いて、大気の湿度の影響を少なくした植物の葉からの水分の蒸散量の計測方法。
【請求項３】
一体のガラス板上面に２つの被測定気体で満される空間を空間の仕切りで分割して設けるとともに、一つの空間には木の葉を押し当てて閉鎖される開口部を設け、前記ガラス板Ｇを冷却するペルチェ素子Ｐｅを設け、前記ガラス板Ｇに光を入射する発光部ＬＤを一つ設け、又ガラス板の上面の露によって散乱透過してくる各２つの空間からの散乱透過光を受光する受光部ＰＤ２１とＰＤ２２とを設け、同受光部ＰＤ２１，ＰＤ２２の受光量の結露量に応じた変化と結露量と葉からの水分の蒸散量の関係を予め記憶して、２つの前記受光部ＰＤ２１，ＰＤ２２の計測の光量から結露量を算出して葉からの水分の対応蒸散量を求める結露量測定装置とからなる、葉からの水分蒸散量の計測装置。
【発明の詳細な説明】
【技術分野】
【０００１】
本発明は、植物の葉から蒸散する水分量を、光計測技術を使って計測する方法と、その装置に関する。
【背景技術】
【０００２】
従来、植物の葉から蒸散する水分量、あるいはその蒸散速度は、湿度を計測する技法を応用して計測されている。その代表的な方法として、電子部品である水蒸気センサを用いる方法などがある。
【０００３】
この電子部品である水蒸気センサを用いる方法は、例えば、水分の存在に対して電気抵抗や静電容量などの電子特性が変化する半導体材料などから形成されるセンサ・デバイスを準備し、これを植物緑葉の裏面に固定する。そして、緑葉裏面に存在する気孔から蒸散する水分が、先のセンサ・デバイスを透過することなどによって生じた電子特性の変化を読み取り、目的の蒸散量、あるいは蒸散速度を計測するものである。
【０００４】
なお、電子部品である水蒸気センサを用いるこの方法が引用文献２に開示されているが、電子部品の感度域によっては、草本類などで蒸散の比較的多い植物の測定には適するが、木本類などで蒸散量の比較的少ない植物の測定では、測定限界以下となり、正しい測定値が出てこないなどの問題がある。また、この水蒸気センサが電子部品であるため、蒸散量が極端に激しいとき、水分に直接曝される電子部品が回復不可能な性能劣化を起こすこともある。このため、蒸散が激しいときには測定できないなどの問題もある。
【０００５】
気体中の水分量などを安定して測定する方法として、引用文献３〜９の鏡面冷却式露点計などを利用した方法がある。この鏡面冷却式露点計の基本的な測定方式は、内部に持つ鏡面をゆっくりと冷却し、その鏡面に結露が発生した時の温度を読み取る方式である。このため、植物緑葉などから連続して放出される水分量を時間を追って計測するのは難しい。
【０００６】
吸湿性の塩化コバルト紙を植物の葉に貼付させて、その紙の色の変化から植物用体内水分ストレス表示する技術が特許文献１に開示されているが、これでは人間の目視によって確認する方法であり、正確な植物水分蒸散量の計数的な計測はできない。
【先行技術文献】
【特許文献】
【０００７】
【特許文献１】特開２００７−２３２５７２号公報
【特許文献２】特開２００９−１１５６７１号公報
【特許文献３】特開１９９３−０９９８４６号公報
【特許文献４】特開１９９４−０５８８９１号公報
【特許文献５】特開２００３−１９４７５６号公報
【特許文献６】特開２００６−１２６０９７号公報
【特許文献７】特開２００７−１９２７１５号公報
【特許文献８】特開２００９−１５０８０８号公報
【特許文献９】特開２０１０−１０７３３８号公報
【発明の概要】
【発明が解決しようとする課題】
【０００８】
植物緑葉の裏面に多く存在する気孔からの蒸散量あるいは蒸散速度を計測する場合、蒸散量が極端に少ない時、その蒸散量を高感度に測定する必要がある。また同時に、蒸散量が極端に多い時でも、蒸散する水分によってセンサ・デバイスの性能を劣化させることなく、使用できる必要がある。
本発明が解決しようとする課題は、植物緑葉からの蒸散量あるいは蒸散速度を計測する方法において、蒸散量が少ない時でも高感度に測定でき、かつ、蒸散量が多い時でも、その水分によって劣化しにくいセンサ・デバイスを実現することにある。加えて、そのセンサ・デバイスを用いて、植物の水分蒸散量の計測方法及び装置を提供することにある。
【課題を解決するための手段】
【０００９】
かかる課題を解決した本発明の構成は、
１）  植物の葉からの水分の蒸散量を計測する装置であって、
被測定気体で満たされる一部の開口部を除いて密閉された空間に配置されるガラス板と、同ガラス板を冷却する冷却手段と、ガラス板に光を入射する発光部と、同発光部から入射された光が前記ガラス板を通過して出てきた透過光を受光する第１の受光部と、前記発光部から入射された光が前記ガラス板の被測定気体に曝されている面にできた露によって散乱透過して出てきた散乱透過光を受光する第２の受光部と、前記の第１及び第２の受光部の受光量の結露量に応じた変化及び結露量と葉からの水分の蒸散量の関係を予め記憶して、第１と第２の受光部の計測の光量から結露量を算出して葉からの水分の対応蒸散量を求める結露量測定装置と、からなる葉からの水分蒸散量の計測装置を用い、
空間の開口部に木の葉を押し当てて閉鎖し、冷却手段を用いてガラス板を冷却してガラス表面を結露させ、その状態で発光部から光を入射させ、第１と第２の受光部の光量を結露量測定装置に入力して、光量差から結露量と水分の蒸散量を算出する植物の葉からの水分の蒸散量の計測方法
２）  植物の葉からの水分の蒸散量を計測する装置であって、
被測定気体で満たされる一部の開口部を除いて密閉された空間に配置されるガラス板と、同ガラス板を冷却する冷却手段と、ガラス板に光を入射する発光部と、同発光部から入射された光が前記ガラス板を通過して出てきた透過光を受光する第１の受光部と、前記発光部から入射された光が前記ガラス板の被測定気体に曝されている面にできた露によって散乱透過して出てきた散乱透過光を受光する第２の受光部と、前記の第１及び第２の受光部の受光量の結露量に応じた変化及び結露量と葉からの水分の蒸散量の関係を予め記憶して、第１と第２の受光部の計測の光量から結露量を算出して葉からの水分の対応蒸散量を求める結露量測定装置と、からなる葉からの水分蒸散量の計測装置を近接して二装置設け、一方の計測装置の空間の開口部を閉鎖し、又二つの計測装置の空間を開閉可能として連通させる換気口を設ける装置とし、
換気口を開いて空間を開放した後、全ての換気口を閉じ、一方の空間の開口部に木の葉の面を押し当てて閉鎖し、更に二つの空間の冷却手段でガラス板を冷却してガラス板表面に結露を発生させ、その後、各空間の発光部ＬＤを作動させてガラス板に光を入射させ、各空間の第１，第２の受光部の受光量を結露量測定装置に入力し、開口部を閉鎖した受光部の受光量から計算した蒸散量を、開口部に葉を押し当てた空間の受光部の受光量から計算した蒸散量から差し引いて、大気の湿度の影響を少なくした植物の葉からの水分の蒸散量の計測方法
３）  一体のガラス板上面に２つの被測定気体で満される空間を空間の仕切りで分割して設けるとともに、一つの空間には木の葉を押し当てて閉鎖される開口部を設け、前記ガラス板Ｇを冷却するペルチェ素子Ｐｅを設け、前記ガラス板Ｇに光を入射する発光部ＬＤを一つ設け、又ガラス板の上面の露によって散乱透過してくる各２つの空間からの散乱透過光を受光する受光部ＰＤ２１とＰＤ２２とを設け、同受光部ＰＤ２１，ＰＤ２２の受光量の結露量に応じた変化と結露量と葉からの水分の蒸散量の関係を予め記憶して、２つの前記受光部ＰＤ２１，ＰＤ２２の計測の光量から結露量を算出して葉からの水分の対応蒸散量を求める結露量測定装置とからなる、葉からの水分蒸散量の計測装置
にある。
【発明の効果】
【００１０】
本発明によれば、例えば水蒸気センサなどの様に、直接に水分に曝される電子部品が無い。このため、蒸散する水分によってセンサ・デバイスの性能が劣化するような問題が生じない。また、本発明によれば、結露量によって、植物緑葉からの蒸散量あるいは蒸散速度を計測する。このため、蒸散量が少ない時でも高感度に測定できる。
本発明は、このように、蒸散量が多い時でも、その水分によって劣化しにくいセンサ・デバイスの提供を可能にする。加えて、そのセンサ・デバイスを用いて、植物の水分蒸散量の高感度に計測する装置の提供を可能にする。
【図面の簡単な説明】
【００１１】
【図１】図１は、本発明の植物の水分蒸散量の計測方法と装置の実施例１を示す説明図である。
【図２】図２は、実施例１の二つの受光部の透過光量の時間的変化を示す動作説明図である。
【図３】図３は、実施例２の装置と方法を示す説明図である。
【図４】図４は、実施例３の装置と方法を示す説明図である。
【発明を実施するための形態】
【００１２】
図を用いて、実施例を説明する。
【実施例】
【００１３】
（実施例１）
図１は、本発明の実施例１の方法と装置を示している。
まず、図中で破線の四角で囲った部分である被測定気体で満たされる一部の開口部Ｋを除いて密閉された空間Ｓの中に、ペルチェ素子Ｐｅを用いた冷却手段を取り付けたガラス板Ｇを配置する。ガラス板Ｇの表面温度を測定する温度センサー（図示せず）を設けている。この温度センサーは、想定外の異常温度を検出するためのものである。
そして、ガラス板Ｇの長手方向にレーザ・ダイオードや発光ダイオードなどの光源の発光部ＬＤから、光を入射する。また同時に、このガラス板Ｇの中を長手方向に透過して出てきた光を捉える第１の受光部ＰＤ１と、このガラス板Ｇの前面に飛び出してくる光を捉える第２のＰＤ２を準備する。
【００１４】
図１に示した被測定気体で満たされる空間Ｓに設けた開口部Ｋを水分蒸散の被測定物Ｌｅの葉で塞いだ状態で、ガラス板Ｇをペルチェ素子Ｐｅで冷却すれば、ガラス板Ｇに水分が結露して、次第にその結露量が増加する。この時のガラス板Ｇ表面に付く露と、２つの受光部ＰＤ１，ＰＤ２での受光量の時間変化を模式的に表したのが図２である。
ガラス板Ｇ表面に露が無い状態では、発光部ＬＤから入射した光は、ガラス板Ｇの中を全反射するなどして伝搬し、第１の受光部ＰＤ１に到達する。また、このとき、ガラス板Ｇから表面に飛び出した光の一部は、受光部ＰＤ２に到達する。
ガラス板Ｇが冷却され、その表面に露が形成すると、ガラス板Ｇの中を全反射するなどして伝搬していた光の一部は、露によって表面に散乱される。このため、露の成長にともない、受光部ＰＤ１での受光量は減少し、受光部ＰＤ２での受光量は増加する。
そして、露の量がある程度以上になると、受光部ＰＤ１と受光部ＰＤ２での受光量の変化は殆ど無くなる。
これら２つの受光部ＰＤ１，ＰＤ２での受光量の変化具合から、結露量を推定する。あらかじめ、空間Ｓ中の水の蒸散量とＰＤ１，ＰＤ２の受光量差の関係を記憶させ、結露量測定装置ＫＳでもって受光部ＰＤ１，ＰＤ２から蒸散量が特定できるようにする。
【００１５】
受光部ＰＤ１，ＰＤ２での受光量ｄ１，ｄ２と発光部ＬＤの発光信号ｌ１は、結露量測定装置ＫＳに入力される。結露量測定装置ＫＳは、コンピュータとメモリとプログラムソフトを用いて蒸散量を計算するソフトが記憶されている。予め、受光量ｄ１，ｄ２のデータから木の葉の蒸散量Ｔの式として受光量ｄ１，ｄ２との下記の関係式を想定し、その係数ａ３，ａ２，ａ１，ａ０を実験的に求めておく。そして、実際の計測における受光部ＰＤ１，ＰＤ２の受光量ｄ１，ｄ２を下式に代入して蒸散量Ｔを求める。蒸散速度は、蒸散量の時間的変化として算出される。
【００１６】
受光部ＰＤ１の受光量データをｄ１、受光部ＰＤ２の受光量データをｄ２とするとき、蒸散量Ｔは、次式で算出される。
Ｔ＝ａ３（ｄ２−ｄ１）３＋ａ２（ｄ２−ｄ１）２＋ａ１（ｄ２−ｄ１）＋ａ０
尚、ここで、この多項式の係数（ａ３，ａ２，ａ１，ａ０）は実験的に求められる値である。
【００１７】
前述の実施例１において、光源の発光部ＬＤの波長を、水による吸収が強いものにすれば、受光部ＰＤ２で検出される受光量は、露による吸収の影響を受け、少ないものとなる（図２中のＰＤ２（ただし、λ’）と記載された破線のグラフ）。この特性を活用して、複数波長の発光部ＬＤを用いれば、より高精度に結露量を推定することが可能となる。
【００１８】
（実施例２）
図３は、実施例１の装置を２台近接して設け、一方の空間Ｓの開口部Ｋを閉鎖して使用する実施例２を示す。
２つの結露量測定部である空間Ｓには、外気を取り入れるための開閉可能な換気口Ｂ１，Ｂ２，Ｂ３を持っている。また、一方の空間Ｓには実施例１と同じ開口部Ｋを設けている。
尚、発光部ＬＤ，受光部ＰＤ１，ＰＤ２は各空間Ｓに設けているが省略している。
２つの結露量測定部の中の被測定気体で満たされる空間Ｓ，Ｓの中に含まれる気体を外気と充分に交換した後、開閉可能な換気口Ｂ１，Ｂ２，Ｂ３を閉じると同時に、開口部Ｋを被測定物Ｌｅで塞ぐ。
その後、結露量測定部１の空間Ｓと結露量測定部２の空間Ｓに含まれるそれぞれのガラス板Ｇ，Ｇを冷却することで、被測定気体で満たされる空間Ｓ，Ｓの内部にある水蒸気をガラス板Ｇ，Ｇ表面に結露させる。
その後、発光部ＬＤから光を入射し、各空間Ｓの第１，第２の受光部ＰＤ１，ＰＤ２の各光量のデータを結露量測定装置ＫＳに入力させ、一方の空間は外気の湿度による蒸散量が計測され、それを被測定物Ｌｅを押し当てて開口部Ｋを閉鎖した方の蒸散量から差し引くことで、葉のみの水分の蒸散量を計測するものである。
これらの結露量を測定することで、植物緑葉からの蒸散量を測定する。
【００１９】
（実施例３）
図４は、本発明の実施例３を示す説明図である。実施例３は、図３に示した実施例２を簡略化する形で実現した、植物緑葉の蒸散量計の別の実施例として、そのセンサ部分のみを示している。
２つの結露量測定部の受光部ＰＤ１，ＰＤ２は、それぞれのガラス板を一体のガラス板Ｇで構成し、ガラス板Ｇを冷却するそれぞれの冷却手段を一つのペルチェ素子Ｐｅを用いた冷却手段で構成し、そして当該ガラス板Ｇに光を入射する発光部ＬＤを一つとし、さらに、当該ガラス板を通過して出てきた透過光を受光するそれぞれの受光部ＰＤ１を省略している。
また、一体のガラス板Ｇが使用されているので、２つの結露量測定部のそれぞれの被測定気体で満たされる空間Ｓを構成するため、被測定気体で満たされる空間の仕切りＭがある。
この構成で、２つの被測定気体で満たされる空間Ｓ，Ｓの内部にある水蒸気をガラス板Ｇ表面に結露させれば、それぞれの水蒸気量の違いによって、それぞれの結露量が異なる。そして結果として、露によって散乱透過して出てきた散乱透過光を受光するそれぞれの受光部ＰＤ２１，ＰＤ２２において受光量に差異が生じる。
この差異から水蒸気量の違いを推定して葉の蒸散量を算出する。
【産業上の利用可能性】
【００２０】
本発明は、植物緑葉からの蒸散量あるいは蒸散速度を計測する方法、およびその装置の製造方法として産業に寄与する。また、この測定の対象物は、植物緑葉だけに留まらない。本発明は、あらゆる物質からの蒸散量あるいは蒸散速度を計測する方法、およびその装置の製造方法として産業に寄与する。
【符号の説明】
【００２１】
Ｓ    空間
Ｋ    開口部
Ｇ    ガラス板
Ｐｅ    ペルチェ素子
ＬＤ    発光部
ＰＤ１，ＰＤ２，ＰＤ２１，ＰＤ２２    受光部
Ｂ１，Ｂ２，Ｂ３    換気口
Ｈ    放熱器
Ｌｅ    被測定物
ＫＳ    結露量測定装置
Ｍ    仕切り
【図１】
0005963254.tif 000002
【図２】
0005963254.tif 000003
【図３】
0005963254.tif 000004
【図４】
0005963254.tif 000005